(57)【特許請求の範囲】
【請求項１】
車室の内装材（１１）の表面（１１ａ）に設けた小物物品保持部（１９）に真空パッド（２２）を開口させ、前記吸引パッド（２２）の内部を負圧源（２４）で真空引きすることで、前記小物物品保持部（１９）に小物物品（１８）を保持可能にしたことを特徴とする車両用小物物品保持装置。
【請求項２】
前記小物物品保持部（１９）は、前記内装材（１１）の表面（１１ａ）から車室側に突出可能であることを特徴とする、請求項１に記載の車両用小物物品保持装置。
【請求項３】
前記小物物品保持部（１９）が車室側に突出したときにオンするスイッチ（２５）を備え、前記スイッチ（２５）のオンにより前記負圧源（２４）が作動することを特徴とする、請求項２に記載の車両用小物物品保持装置。
【請求項４】
前記内装材はインストルメントパネル（１１）であることを特徴とする、請求項１〜請求項３の何れか１項に記載の車両用小物物品保持装置。
【請求項５】
前記負圧源（２４）は、パンク修理後のタイヤに空気を供給する電動ポンプに兼用されることを特徴とする、請求項１〜請求項４の何れか１項に記載の車両用小物物品保持装置。
【発明の詳細な説明】
【技術分野】
【０００１】
本発明は、小物物品を車室内で移動しないように保持するための小物物品保持装置に関する。
【背景技術】
【０００２】
小銭、紙幣、通行券、メモ用紙等の小物物品を入れるトレー状の収納部と、この収納部を引き出し可能に収納する収納部とよりなる小物入れを、吸盤でフロントガラスの下部内面に固定するものが、下記特許文献１により公知である。
【０００３】
また携帯電話を着脱自在に保持するホルダを、吸盤でフロントガラスの内面や内装材の内面に固定するものが、下記特許文献２により公知である。
【先行技術文献】
【特許文献】
【０００４】
【特許文献１】登録実用新案第３００５０４６号公報
【特許文献２】特許第３０３３７０７号公報
【発明の概要】
【発明が解決しようとする課題】
【０００５】
しかしながら上記特許文献１に記載されたものは、小物入れの取付位置がフロントガラス面に限定されるために運転者の視界が遮られる可能性があるだけでなく、携帯電話や携帯オーディオ機器等を小物入れに収納した状態で操作できないという問題があった。
【０００６】
また上記特許文献２に記載されたものは、ホルダの形状によって保持できる小物物品の種類が限られてしまい、汎用性に乏しいという問題があった。
【０００７】
本発明は前述の事情に鑑みてなされたもので、任意の小物物品を車室内に移動不能かつ操作可能に保持する車両用小物物品保持装置を提供することを目的とする。
【課題を解決するための手段】
【０００８】
上記目的を達成するために、請求項１に記載された発明によれば、車室の内装材の表面に設けた小物物品保持部に真空パッドを開口させ、前記吸引パッドの内部を負圧源で真空引きすることで、前記小物物品保持部に小物物品を保持可能にしたことを特徴とする車両用小物物品保持装置が提案される。
【０００９】
また請求項２に記載された発明によれば、請求項１の構成に加えて、前記小物物品保持部は、前記内装材の表面から車室側に突出可能であることを特徴とする車両用小物物品保持装置が提案される。
【００１０】
また請求項３に記載された発明によれば、請求項２の構成に加えて、前記小物物品保持部が車室側に突出したときのオンするスイッチを備え、前記スイッチのオンにより前記負圧源が作動することを特徴とする車両用小物物品保持装置が提案される。
【００１１】
また請求項４に記載された発明によれば、請求項１〜請求項３の何れか１項の構成に加えて、前記内装材はインストルメントパネルであることを特徴とする車両用小物物品保持装置が提案される。
【００１２】
また請求項５に記載された発明によれば、請求項１〜請求項４の何れか１項の構成に加えて、前記負圧源は、パンク修理後のタイヤに空気を供給する電動ポンプに兼用されることを特徴とする車両用小物物品保持装置が提案される。
【００１３】
尚、実施の形態のインストルメントパネル１１は本発明の内装材に対応し、実施の形態の真空ポンプ２４は本発明の負圧源に対応し、実施の形態のリミットスイッチ２５は本発明のスイッチに対応する。
【発明の効果】
【００１４】
請求項１の構成によれば、車室の内装材の表面に設けた小物物品保持部に開口する真空パッドの内部を負圧源で真空引きするので、単に置くだけでは移動したり落下したりする小物物品を真空パッドに吸着して確実に保持することができる。しかも真空パッドで吸着するので小物物品の形状や寸法の制限が小さくなり、多種の小物物品を保持可能になって汎用性が高められる。また小物物品保持部は上向きである必要はなく、横向きあるいは下向きであっても小物物品を保持できるので、フロントガラスを遮らない位置に装着することが可能であるだけでなく、車室内のスペースを有効に利用することができる。
【００１５】
また請求項２の構成によれば、小物物品保持部は内装材の表面から車室側に突出可能なので、小物物品保持部を使用しないときは内装材の内部に収納して美観を保つとともに邪魔にならないようにし、小物物品保持部を使用するときは内装材の表面から突出させて小物物品の着脱や操作を容易に行うことができる。
【００１６】
また請求項３の構成によれば、小物物品保持部が車室側に突出したときにスイッチがオンして負圧源が作動するので、特別のスイッチ操作を行わなくても自動的に負圧源を作動させることが可能になって利便性が向上する。
【００１７】
また請求項４の構成によれば、小物物品保持部が設けられる内装材がインストルメントパネルであるので、運転者や同乗者が手の届きやすい位置に小物物品を保持することができる。
【００１８】
また請求項５の構成によれば、真空パッドを真空引きする負圧源を、パンク修理後のタイヤに空気を供給する電動ポンプに兼用するので、特別の負圧源を設ける必要がなくなってコストダウンが可能になる。
【図面の簡単な説明】
【００１９】
【図１】インストルメントパネルの正面図。
【図２】図１の２−２線拡大断面図（使用位置にある小物物品保持部を示す図）。
【図３】図２の３−３線矢視図。
【図４】前記図２に対応する図（収納位置にある小物物品保持部を示す図）。
【発明を実施するための形態】
【００２０】
以下、図１〜図４に基づいて本発明の実施の形態を説明する。
【００２１】
図１に示すように、自動車の車室の前部に配置されたインストルメントパネル１１の右側には、ステアリングホイール１２の前方に位置するようにメータパネル１３が配置され、中央部にはシフトレバー１４およびオーディオ装置１５の前方に位置するようにマルチインフォメーションディスプレイ１６およびエアコン吹き出し口１７が配置される。メータパネル１３およびマルチインフォメーションディスプレイ１６の間のインストルメントパネル１１には、携帯電話等の小物物品１８を保持可能な小物物品保持部１９が設けられる。
【００２２】
図２および図３から明らかなように、小物物品保持部１９は、インストルメントパネル１１に形成された凹部２０に収納された直方体状の部材からなり、その表面１９ａがインストルメントパネル１１の表面１１ａと面一になる収納位置（図４参照）と、その表面１９ａがインストルメントパネル１１の表面１１ａから車室側に張り出す使用位置（図４参照）との間を移動し得るように、上下一対のプッシュオープン装置２１，２１を介して凹部２０に支持される。
【００２３】
プッシュオープン装置２１，２１は、自動車用の小物入れや灰皿の開閉機構に使用される周知の構造のものであり、収納位置にロックされた小物物品保持部１９の表面１９ａを前方に押すと、ロックが外れてスプリングの弾発力で使用位置に突出し、使用位置にある小物物品保持部１９の表面１９ａを前方に押すと、収納位置でロックが掛かるようになっており、ワンタッチの操作で収納位置および使用位置の間を移動させることができる。
【００２４】
小物物品保持部１９の内部には柔軟なゴム製の真空パッド２２が収納されており、コーン状に拡開する真空パッド２２の先端の吸着部２２ａは小物物品保持部１９の表面１９ａから車室側に僅かに突出するように露出している。真空パッド２２の基部２２ｂは柔軟なホース２３を介して車載の真空ポンプ２４の吸入ポート２４ａに接続される。
【００２５】
本実施の形態の真空ポンプ２４は、パンク修理キットの電動ポンプを兼用したものである。即ち、スペアタイヤを装備していない自動車では、パンクしたタイヤを応急修理するために、パンクしたタイヤのバルブに接続するホースと、パンクしたタイヤにホースを介してパンク修理剤を供給するボンベと、修理したタイヤにホースを介して空気を供給する電動ポンプとを含むパンク修理キットを装備している。電動ポンプは可搬式のものであり、パンク修理に使用する場合には、車外に持ち出してシガレットライターに接続することで作動し、その吐出ポート２４ｂ（図２および図４参照）から吐出される空気を前記ホースを介してタイヤに供給するようになっている。
【００２６】
この電動ポンプは、車載の状態では前記真空ポンプ２４として機能するもので、パンク修理の際に使用する吐出ポート２４ｂを使用せず、その吸入ポート２４ａがホース２３を介して真空パッド２２に接続される。
【００２７】
またインストルメントパネル１１の凹部２０にはリミットスイッチ２５が設けられており、このリミットスイッチ２５は小物物品保持部１９が使用位置に移動するとオンするよになっている。そしてリミットスイッチ２５および真空ポンプ２４は電子制御ユニット２６に接続される。
【００２８】
次に、上記構成を備えた本発明の実施の形態の作用を説明する。
【００２９】
図４に示すように、小物物品保持部１９が収納位置にあるとき、その表面１９ａはインストルメントパネル１１の表面１１ａと面一になって段差が消滅することで、インストルメントパネル１１の美観が維持されるだけでなく、小物物品保持部１９が車室内に突出して邪魔になったり車室のスペースを圧迫したりすることが防止される。このとき、リミットスイッチ２５はオフしているため、真空ポンプ２４は不作動状態に維持されて電力の無駄な消費が回避される。
【００３０】
例えば携帯電話のような小物物品１８を小物物品保持部１９に保持するには、乗員が手に持った小物物品１８を小物物品保持部１９の真空パッド２２に当接させて押し込めば良い。すると、図２に示すように、プッシュオープン装置２１，２１によって、一旦押し込まれた小物物品保持部１９はロックが外れて使用位置に向かって車室内に突出するとともに、リミットスイッチ２５がオンして真空ポンプ２４が作動し、ホース２３を介して真空パッド２２の内部が真空引きされる。その結果、小物物品１８は真空パッド２２に吸着して保持され、乗員が手を放しても、また車両が加減速や旋回を行ったり悪路走行したりする場合であっても、小物物品１８は落下したり移動したりすることなく、小物物品保持部１９に保持される。
【００３１】
このように、小物物品１８は乗員が手を放しても小物物品保持部１９に保持されたままになり、かつ小物物品保持部１９は乗員の手が届き易いインストルメントパネル１１に設けられているので、乗員は小物物品１８の操作を容易に行うことができる。
【００３２】
この状態から乗員が小物物品１８を持って前方に押し込むと、プッシュオープン装置２１，２１によって小物物品保持部１９が収納位置にロックされ、これと同時にリミットスイッチ２５がオフして真空ポンプ２４が停止することで、真空パッド２２の吸着が解除されて小物物品１８を取り外しが可能になる。
【００３３】
以上のように、インストルメントパネル１１の凹部２０に設けた小物物品保持部１９に開口する真空パッド２２の内部を真空ポンプ２４で真空引きするので、単に置くだけでは重力や車両の加速度運動で移動したり落下したりする小物物品１８を真空パッド２２に吸着して確実に保持することができる。しかも真空パッド２２で吸着するので小物物品１８の形状や寸法の制限が小さくなり、多種の小物物品１８を保持可能になって汎用性が高められる。また小物物品保持部１９は上向きである必要はなく、横向きあるいは下向きであっても小物物品１８を保持できるので、小物物品１８をフロントガラスを遮らない位置に装着することが可能であるだけでなく、乗員の操作し易い位置や車室内のスペースを有効に利用できる位置に装着することができる。
【００３４】
また小物物品保持部１９はインストルメントパネル１１の表面１１ａから車室側に突出可能なので、小物物品保持部１９を使用しないときはインストルメントパネル１１の凹部２０に収納して車室内の美観を保つとともに邪魔にならないようにし、小物物品保持部１９を使用するときはインストルメントパネル１１の表面１１ａから突出させて小物物品１８の着脱や操作を容易に行うことができる。しかも小物物品保持部１９が車室側に突出したときにリミットスイッチがオン２５して真空ポンプ２４が作動するので、特別のスイッチ操作を行わなくても自動的に真空ポンプ２４を作動させることが可能になって利便性が向上する。
【００３５】
また真空パッド２２を真空引きする真空ポンプ２４を、パンク修理後のタイヤに空気を供給する電動ポンプに兼用するので、特別の真空ポンプ２４を設ける必要がなくなってコストダウンが可能になる。
【００３６】
以上、本発明の実施の形態を説明したが、本発明はその要旨を逸脱しない範囲で種々の設計変更を行うことが可能である。
【００３７】
例えば、本発明の小物物品１８は実施の形態の携帯電話に限定されるものではない。
【００３８】
また実施の形態の真空ポンプ２４は、パンク修理キットの電動ポンプに兼用されるものに限定されず、専用のものであっても良く、また本発明の負圧源は真空ポンプ２４に限定されるものではない。
【００３９】
また小物物品保持部１９が設けられる場所はインストルメントパネル１１に限定されず、車室の任意の内装材であれば良い。
【００４０】
また小物物品保持部１９を収納位置と使用位置との間で移動させる構造はプッシュオープン装置２１に限定されるものではなく、小物物品保持部１９は内装材に移動不能に固定されたものであっても良い。
【符号の説明】
【００４１】
１１        インストルメントパネル（内装材）
１１ａ      表面
１８        小物物品
１９        小物物品保持部
２２        真空パッド
２４        真空ポンプ（負圧源）
２５        リミットスイッチ（スイッチ）
【図１】
0005461315.tif 000002
【図２】
0005461315.tif 000003
【図３】
0005461315.tif 000004
【図４】
0005461315.tif 000005